(57)【要約】【課題】  利用者が選んだ配信用情報を店舗の印刷デバイスによって印刷することができる情報印刷システム、情報配信サーバーおよび情報配信プログラムを提供する。【解決手段】  情報印刷システムは、配信用情報を配信する情報配信サーバーと、店舗に設置されて情報配信サーバーによって配信された配信用情報を受信する店舗サーバー４０と、店舗サーバー４０によって受信された配信用情報の少なくとも一部を表示する表示部、表示部に表示された複数の配信用情報から特定の配信用情報の選択を受け付ける操作部、および、操作部から選択された配信用情報をＳ２３３において印刷するプリンターを備え、店舗に設置されたＭＦＰ３０とを備える。【選択図】  図１１
2018097672.tif 000002
【特許請求の範囲】
【請求項１】
配信用情報を配信する情報配信サーバーと、
店舗に設置されて前記情報配信サーバーによって配信された前記配信用情報を受信する受信デバイスと、
前記店舗に設置されて前記受信デバイスによって受信された前記配信用情報の少なくとも一部を表示する表示デバイスと、
前記店舗に設置されて前記表示デバイスに表示された複数の前記配信用情報から特定の前記配信用情報の選択を受け付ける操作デバイスと、
前記店舗に設置されて前記操作デバイスから選択された前記配信用情報を印刷する印刷デバイスと
を備えることを特徴とする情報印刷システム。
【請求項２】
前記情報配信サーバーは、前記配信用情報を配信した前記受信デバイスが設置された前記店舗としての第１の店舗に設置された前記印刷デバイスによる前記配信用情報の印刷の回数が特定の回数より少ない場合に、前記第１の店舗の周囲の前記店舗としての第２の店舗に設置された前記受信デバイスに前記配信用情報を配信することを特徴とする請求項１に記載の情報印刷システム。
【請求項３】
前記情報配信サーバーは、前記第１の店舗に設置された前記印刷デバイスによる前記配信用情報の印刷の回数が前記特定の回数より少ない場合に、前記第１の店舗に設置された前記受信デバイスへの前記配信用情報の配信を終了して、前記第２の店舗に設置された前記受信デバイスに前記配信用情報を配信することを特徴とする請求項２に記載の情報印刷システム。
【請求項４】
前記情報配信サーバーは、前記第２の店舗に設置された前記印刷デバイスによる前記配信用情報の印刷の回数が前記特定の回数以上である場合に、前記第２の店舗に設置された前記受信デバイスに配信した前記配信用情報と同一の種類の前記配信用情報の配信の依頼を新たに受けたとき、前記同一の種類の配信用情報を最初から前記第２の店舗に設置された前記受信デバイスに配信することを特徴とする請求項２または請求項３に記載の情報印刷システム。
【請求項５】
前記表示デバイスは、前記配信用情報の少なくとも一部をスクロール表示することを特徴とする請求項２から請求項４までの何れかに記載の情報印刷システム。
【請求項６】
前記表示デバイスは、前記配信用情報の一部のみを表示することを特徴とする請求項１から請求項５までの何れかに記載の情報印刷システム。
【請求項７】
店舗に設置された受信デバイスに配信用情報を配信する情報配信サーバーであって、
前記配信用情報を配信した前記受信デバイスが設置された前記店舗としての第１の店舗に設置された印刷デバイスによる前記配信用情報の印刷の回数が特定の回数より少ない場合に、前記第１の店舗の周囲の前記店舗としての第２の店舗に設置された前記受信デバイスに前記配信用情報を配信することを特徴とする情報配信サーバー。
【請求項８】
店舗に設置された受信デバイスに配信用情報を配信する情報配信サーバーとしてコンピューターを機能させるための情報配信プログラムであって、
前記情報配信サーバーは、前記配信用情報を配信した前記受信デバイスが設置された前記店舗としての第１の店舗に設置された印刷デバイスによる前記配信用情報の印刷の回数が特定の回数より少ない場合に、前記第１の店舗の周囲の前記店舗としての第２の店舗に設置された前記受信デバイスに前記配信用情報を配信することを特徴とする情報配信プログラム。
【発明の詳細な説明】
【技術分野】
【０００１】
本発明は、店舗に設置された印刷デバイスによって配信用情報を印刷する情報印刷システム、情報配信サーバーおよび情報配信プログラムに関する。
【背景技術】
【０００２】
従来、店舗に設置された印刷デバイスによって配信用情報を印刷する情報印刷システムとして、コンビニエンスストアに設置された複合機によって地域情報を印刷する地域情報伝達システムが知られている（例えば、特許文献１参照。）。
【先行技術文献】
【特許文献】
【０００３】
【特許文献１】特開２００６−１７８６２９号公報
【発明の概要】
【発明が解決しようとする課題】
【０００４】
しかしながら、従来の情報印刷システムにおいては、利用者毎に予め決定されている配信用情報を店舗の印刷デバイスによって印刷することができるが、複数の配信用情報から利用者が選んだ配信用情報を店舗の印刷デバイスによって印刷することができないという問題がある。
【０００５】
そこで、本発明は、利用者が選んだ配信用情報を店舗の印刷デバイスによって印刷することができる情報印刷システム、情報配信サーバーおよび情報配信プログラムを提供することを目的とする。
【課題を解決するための手段】
【０００６】
本発明の情報印刷システムは、配信用情報を配信する情報配信サーバーと、店舗に設置されて前記情報配信サーバーによって配信された前記配信用情報を受信する受信デバイスと、前記店舗に設置されて前記受信デバイスによって受信された前記配信用情報の少なくとも一部を表示する表示デバイスと、前記店舗に設置されて前記表示デバイスに表示された複数の前記配信用情報から特定の前記配信用情報の選択を受け付ける操作デバイスと、前記店舗に設置されて前記操作デバイスから選択された前記配信用情報を印刷する印刷デバイスとを備えることを特徴とする。
【０００７】
この構成により、本発明の情報印刷システムは、店舗の表示デバイスに複数の配信用情報を表示し、店舗の表示デバイスに表示された複数の配信用情報から特定の配信用情報の選択を店舗の操作デバイスによって受け付け、店舗の操作デバイスから選択された配信用情報を店舗の印刷デバイスによって印刷するので、利用者が選んだ配信用情報を店舗の印刷デバイスによって印刷することができる。
【０００８】
本発明の情報印刷システムにおいて、前記情報配信サーバーは、前記配信用情報を配信した前記受信デバイスが設置された前記店舗としての第１の店舗に設置された前記印刷デバイスによる前記配信用情報の印刷の回数が特定の回数より少ない場合に、前記第１の店舗の周囲の前記店舗としての第２の店舗に設置された前記受信デバイスに前記配信用情報を配信しても良い。
【０００９】
この構成により、本発明の情報印刷システムは、印刷される可能性が高い店舗を配信用情報毎に自動で探すので、利便性を向上することができる。
【００１０】
本発明の情報印刷システムにおいて、前記情報配信サーバーは、前記第１の店舗に設置された前記印刷デバイスによる前記配信用情報の印刷の回数が前記特定の回数より少ない場合に、前記第１の店舗に設置された前記受信デバイスへの前記配信用情報の配信を終了して、前記第２の店舗に設置された前記受信デバイスに前記配信用情報を配信しても良い。
【００１１】
この構成により、本発明の情報印刷システムは、印刷される可能性が低い店舗の受信デバイスには配信用情報を配信しないので、店舗の印刷デバイスによって印刷される可能性が低い配信用情報が店舗の表示デバイスに表示されることを抑えることができる。したがって、本発明の情報印刷システムは、店舗の印刷デバイスによって印刷される配信用情報が店舗の操作デバイスから選択されることを容易化することができる。
【００１２】
本発明の情報印刷システムにおいて、前記情報配信サーバーは、前記第２の店舗に設置された前記印刷デバイスによる前記配信用情報の印刷の回数が前記特定の回数以上である場合に、前記第２の店舗に設置された前記受信デバイスに配信した前記配信用情報と同一の種類の前記配信用情報の配信の依頼を新たに受けたとき、前記同一の種類の配信用情報を最初から前記第２の店舗に設置された前記受信デバイスに配信しても良い。
【００１３】
この構成により、本発明の情報印刷システムは、印刷される可能性が高い店舗の受信デバイスに配信用情報を自動で配信するので、利便性を向上することができる。
【００１４】
本発明の情報印刷システムにおいて、前記表示デバイスは、前記配信用情報の少なくとも一部をスクロール表示しても良い。
【００１５】
この構成により、本発明の情報印刷システムは、一覧表示する場合と比較して同一の時間で利用者が認識可能な配信用情報の数が少ないので、不必要な配信用情報を受信デバイスに配信しないことが重要である。したがって、本発明の情報印刷システムは、印刷される可能性が高い店舗を配信用情報毎に自動で探す有効性を向上することができる。
【００１６】
本発明の情報印刷システムにおいて、前記表示デバイスは、前記配信用情報の一部のみを表示しても良い。
【００１７】
この構成により、本発明の情報印刷システムは、配信用情報の一部のみを表示するので、配信用情報の全てを知ることを希望する利用者が配信用情報の印刷を希望する場合が高く、配信用情報の全てを表示する場合と比較して配信用情報が印刷される可能性を向上することができる。したがって、本発明の情報印刷システムは、配信用情報の印刷に対して課金する場合に、配信用情報の印刷による売り上げを向上することができる。
【００１８】
本発明の情報配信サーバーは、店舗に設置された受信デバイスに配信用情報を配信する情報配信サーバーであって、前記配信用情報を配信した前記受信デバイスが設置された前記店舗としての第１の店舗に設置された印刷デバイスによる前記配信用情報の印刷の回数が特定の回数より少ない場合に、前記第１の店舗の周囲の前記店舗としての第２の店舗に設置された前記受信デバイスに前記配信用情報を配信することを特徴とする。
【００１９】
この構成により、本発明の情報配信サーバーは、印刷される可能性が高い店舗を配信用情報毎に自動で探すので、利便性を向上することができる。
【００２０】
本発明の情報配信プログラムは、店舗に設置された受信デバイスに配信用情報を配信する情報配信サーバーとしてコンピューターを機能させるための情報配信プログラムであって、前記情報配信サーバーは、前記配信用情報を配信した前記受信デバイスが設置された前記店舗としての第１の店舗に設置された印刷デバイスによる前記配信用情報の印刷の回数が特定の回数より少ない場合に、前記第１の店舗の周囲の前記店舗としての第２の店舗に設置された前記受信デバイスに前記配信用情報を配信することを特徴とする。
【００２１】
この構成により、本発明の情報配信プログラムを実行するコンピューターは、印刷される可能性が高い店舗を配信用情報毎に自動で探すので、利便性を向上することができる。
【発明の効果】
【００２２】
本発明の情報印刷システム、情報配信サーバーおよび情報配信プログラムは、利用者が選んだ配信用情報を店舗の印刷デバイスによって印刷することができる。
【図面の簡単な説明】
【００２３】
【図１】本発明の一実施の形態に係る情報印刷システムのブロック図である。
【図２】図１に示すＭＦＰのブロック図である。
【図３】図１に示す店舗サーバーのブロック図である。
【図４】図１に示す情報配信サーバーのブロック図である。
【図５】図４に示す配信先決定用情報の一例を示す図である。
【図６】配信用情報を新たに配信する場合の図４に示す情報配信サーバーの動作のフローチャートである。
【図７】配信用情報の配信先を変更する場合の図４に示す情報配信サーバーの動作のフローチャートである。
【図８】配信用情報を削除する場合の図４に示す情報配信サーバーの動作のフローチャートである。
【図９】配信用情報が表示される場合の図２に示すＭＦＰの動作のフローチャートである。
【図１０】図２に示す表示部に表示されるヘッドライン情報の一例を示す図である。
【図１１】配信用情報が印刷される場合の図１に示すＭＦＰおよび店舗サーバーの動作のシーケンス図である。
【発明を実施するための形態】
【００２４】
以下、本発明の一実施の形態について、図面を用いて説明する。
【００２５】
まず、本実施の形態に係る情報印刷システムの構成について説明する。
【００２６】
図１は、本実施の形態に係る情報印刷システム１０のブロック図である。
【００２７】
図１に示すように、情報印刷システム１０は、例えばコンビニエンスストアなどの店舗２０と、配信用情報を配信するための情報配信サーバー５０とを備えている。例えば、配信用情報としては、小規模な店舗（情報印刷システム１０の店舗であるか否かは問わない。）が近隣の住人に見てもらうことを希望する広告が存在する。また、配信用情報としては、小規模な地域のコミュニティーがメンバーに見てもらうことを希望する会報やイベント情報が存在する。
【００２８】
情報印刷システム１０は、店舗２０の他にも、店舗２０と同様な構成の店舗を少なくとも１つ備えている。
【００２９】
店舗２０には、ＭＦＰ（Ｍｕｌｔｉｆｕｎｃｔｉｏｎ  Ｐｅｒｉｐｈｅｒａｌ）３０と、情報配信サーバー５０によって配信された配信用情報を受信する受信デバイスとしての店舗サーバー４０とが設置されている。ＭＦＰ３０と、店舗サーバー４０とは、ＬＡＮ（Ｌｏｃａｌ  Ａｒｅａ  Ｎｅｔｗｏｒｋ）などのネットワーク２１経由で、または、ネットワーク２１を介さずに有線または無線によって直接に、通信可能である。
【００３０】
店舗サーバー４０と、情報配信サーバー５０とは、インターネットなどのネットワーク１１経由で通信可能である。
【００３１】
図２は、ＭＦＰ３０のブロック図である。
【００３２】
図２に示すように、ＭＦＰ３０は、種々の操作が入力されるボタンなどの操作デバイスである操作部３１と、種々の情報を表示するＬＣＤ（Ｌｉｑｕｉｄ  Ｃｒｙｓｔａｌ  Ｄｉｓｐｌａｙ）などの表示デバイスである表示部３２と、原稿から画像を読み取る読取デバイスであるスキャナー３３と、用紙などの記録媒体に画像を印刷する印刷デバイスであるプリンター３４と、図示していない外部のファクシミリ装置と公衆電話回線などの通信回線経由でファックス通信を行うファックスデバイスであるファックス通信部３５と、ネットワーク２１（図１参照。）経由で、または、ネットワーク２１を介さずに有線または無線によって直接に、外部の装置と通信を行う通信デバイスである通信部３６と、各種の情報を記憶する半導体メモリー、ＨＤＤ（Ｈａｒｄ  Ｄｉｓｋ  Ｄｒｉｖｅ）などの不揮発性の記憶デバイスである記憶部３７と、ＭＦＰ３０全体を制御する制御部３８とを備えている。
【００３３】
操作部３１の少なくとも一部は、表示部３２とともにタッチパネルを構成しても良い。
【００３４】
制御部３８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３７に記憶されているプログラムを実行する。
【００３５】
図３は、店舗サーバー４０のブロック図である。
【００３６】
図３に示すように、店舗サーバー４０は、種々の操作が入力されるマウス、キーボードなどの入力デバイスである操作部４１と、種々の情報を表示するＬＣＤなどの表示デバイスである表示部４２と、ネットワーク１１、２１（図１参照。）経由で、または、ネットワーク１１、２１を介さずに有線または無線によって直接に、外部の装置と通信を行う通信デバイスである通信部４３と、各種の情報を記憶する半導体メモリー、ＨＤＤなどの不揮発性の記憶デバイスである記憶部４４と、店舗サーバー４０全体を制御する制御部４５とを備えている。店舗サーバー４０は、例えば、ＰＣ（Ｐｅｒｓｏｎａｌ  Ｃｏｍｐｕｔｅｒ）などのコンピューターによって構成されている。
【００３７】
記憶部４４は、情報配信サーバー５０（図１参照。）によって配信された配信用情報４４ａを記憶可能である。記憶部４４は、配信用情報４４ａの他にも、情報配信サーバー５０によって配信された配信用情報を少なくとも１つ記憶可能である。
【００３８】
記憶部４４は、ＭＦＰ３０（図１参照。）による配信用情報の印刷の時刻を配信用情報毎に示す印刷履歴４４ｂを記憶可能である。
【００３９】
制御部４５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４４に記憶されているプログラムを実行する。
【００４０】
図４は、情報配信サーバー５０のブロック図である。
【００４１】
図４に示すように、情報配信サーバー５０は、種々の操作が入力されるマウス、キーボードなどの入力デバイスである操作部５１と、種々の情報を表示するＬＣＤなどの表示デバイスである表示部５２と、ネットワーク２１（図１参照。）経由で外部の装置と通信を行う通信デバイスである通信部５３と、各種の情報を記憶する半導体メモリー、ＨＤＤなどの不揮発性の記憶デバイスである記憶部５４と、情報配信サーバー５０全体を制御する制御部５５とを備えている。情報配信サーバー５０は、例えば、ＰＣなどのコンピューターによって構成されている。
【００４２】
記憶部５４は、配信用情報を配信するための情報配信プログラム５４ａを記憶している。
【００４３】
記憶部５４は、情報配信サーバー５０によって配信されるための配信用情報５４ｂを記憶可能である。記憶部５４は、配信用情報５４ｂの他にも、情報配信サーバー５０によって配信されるための配信用情報を少なくとも１つ記憶可能である。
【００４４】
記憶部５４は、記憶部５４に記憶されている配信用情報の配信先を配信用情報毎に示す配信先情報５４ｃを記憶可能である。
【００４５】
記憶部５４は、記憶部５４に記憶されている配信用情報の配信先を決定するための配信先決定用情報５４ｄを記憶可能である。
【００４６】
図５は、配信先決定用情報５４ｄの一例を示す図である。
【００４７】
図５に示すように、配信先決定用情報５４ｄは、配信用情報の種類と、配信用情報の配信を希望する者（以下「配信希望者」と言う。）が、情報配信サーバー５０の管理者（以下「サーバー管理者」と言う。）に、配信用情報の配信を依頼した場合に、配信希望者が配信用情報の配信先として希望した店舗（以下「配信希望店舗」と言う。）と、配信用情報の配信先として推奨する店舗（以下「推奨店舗」と言う。）との組み合わせを示す情報である。ここで、配信用情報の種類とは、何れの観点で分類されたものであっても良い。例えば、配信用情報の種類は、配信希望者で分類されたものでも良いし、広告、会報、イベント情報などの内容で分類されたものでも良いし、これらの組み合わせで分類されたものでも良い。図５に示す配信先決定用情報５４ｄによれば、配信希望者Ａによる配信用情報は、配信希望店舗が店舗ａである場合、推奨店舗が店舗ｂである。
【００４８】
図４に示す制御部５５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部５４に記憶されているプログラムを実行する。
【００４９】
制御部５５は、記憶部５４に記憶されている情報配信プログラム５４ａを実行することによって、店舗のサーバーに配信用情報を配信する情報配信手段５５ａを実現する。
【００５０】
次に、情報印刷システム１０の動作について説明する。
【００５１】
まず、配信用情報を新たに配信する場合の情報配信サーバー５０の動作について説明する。
【００５２】
配信希望者がサーバー管理者に配信用情報の配信を依頼すると、サーバー管理者は、配信希望者から依頼を受けた配信用情報を配信するように、情報配信サーバー５０に指示する。したがって、情報配信サーバー５０は、図６に示す動作を実行する。
【００５３】
図６は、配信用情報を新たに配信する場合の情報配信サーバー５０の動作のフローチャートである。
【００５４】
図６に示すように、情報配信手段５５ａは、サーバー管理者から配信するように指示された配信用情報、すなわち、今回の図６に示す動作の対象の配信用情報を記憶部５４に記憶する（Ｓ１０１）。
【００５５】
次いで、情報配信手段５５ａは、今回の図６に示す動作の対象の配信用情報の種類および配信希望店舗と、配信先決定用情報５４ｄとに基づいて、推奨店舗を取得する（Ｓ１０２）。ここで、情報配信手段５５ａは、今回の図６に示す動作の対象の配信用情報の種類および配信希望店舗の組み合わせが配信先決定用情報５４ｄに存在する場合、今回の図６に示す動作の対象の配信用情報の種類および配信希望店舗に配信先決定用情報５４ｄにおいて組み合わされた推奨店舗を取得する。また、情報配信手段５５ａは、今回の図６に示す動作の対象の配信用情報の種類および配信希望店舗の組み合わせが配信先決定用情報５４ｄに存在しない場合、推奨店舗がないものと判断する。
【００５６】
情報配信手段５５ａは、Ｓ１０２の処理の後、Ｓ１０２において推奨店舗が取得できたか否かを判断する（Ｓ１０３）。
【００５７】
情報配信手段５５ａは、推奨店舗が取得できなかったとＳ１０３において判断すると、今回の図６に示す動作の対象の配信用情報の配信先を、配信希望店舗として配信先情報５４ｃに記憶する（Ｓ１０４）。
【００５８】
情報配信手段５５ａは、推奨店舗が取得できたとＳ１０３において判断すると、今回の図６に示す動作の対象の配信用情報の配信先を、Ｓ１０２において取得した推奨店舗として配信先情報５４ｃに記憶する（Ｓ１０５）。なお、情報配信手段５５ａは、Ｓ１０５において、推奨店舗に加えて配信希望店舗も、配信用情報の配信先として配信先情報５４ｃに記憶しても良い。
【００５９】
情報配信手段５５ａは、Ｓ１０４またはＳ１０５の処理の後、今回の図６に示す動作の対象の配信用情報を、配信先情報５４ｃに示される配信先の店舗サーバーに配信して（Ｓ１０６）、図６に示す動作を終了する。
【００６０】
次に、配信用情報の配信先を変更する場合の情報配信サーバー５０の動作について説明する。
【００６１】
図７は、配信用情報の配信先を変更する場合の情報配信サーバー５０の動作のフローチャートである。
【００６２】
情報配信サーバー５０は、記憶部５４に記憶されている配信用情報毎に、例えば１日毎など、特定のタイミングで図７に示す動作を繰り返す。
【００６３】
図７に示すように、情報配信手段５５ａは、今回の図７に示す動作における対象の配信用情報に対して配信先情報５４ｃに示される配信先をＲＡＭに一時的に記憶する（Ｓ１３１）。
【００６４】
次いで、情報配信手段５５ａは、Ｓ１３１において一時的に記憶した配信先のうち、今回の図７に示す動作において未だ対象にしていない１つを対象にする（Ｓ１３２）。
【００６５】
次いで、情報配信手段５５ａは、対象の配信先に設置されたＭＦＰによる、過去３日間などの特定の期間における対象の配信用情報の印刷の回数を、対象の配信先に設置された店舗サーバーから取得する（Ｓ１３３）。なお、店舗サーバーの制御部は、店舗サーバーの記憶部に記憶された印刷履歴に基づいて算出可能である。
【００６６】
情報配信手段５５ａは、Ｓ１３３において取得した回数が特定の回数より少ないか否かを判断する（Ｓ１３４）。
【００６７】
情報配信手段５５ａは、特定の回数より少ないとＳ１３４において判断すると、対象の配信先の周囲の店舗を、対象の配信用情報の配信先として配信先情報５４ｃに記憶して（Ｓ１３５）、Ｓ１３５において配信先情報５４ｃに記憶された店舗の店舗サーバーに、対象の配信用情報を配信する（Ｓ１３６）。ここで、Ｓ１３５において配信先情報５４ｃに記憶される店舗は、これまで対象の配信用情報の配信先とされたことがない店舗としてもよい。なお、「対象の配信先の周囲の店舗」とは、例えば、対象の配信先を中心とする特定半径（例えば、１００ｍ）の円内にある店舗である。
【００６８】
情報配信手段５５ａは、Ｓ１３６の処理の後、対象の配信用情報の種類および配信希望店舗の組み合わせに、対象の配信先を推奨店舗として組み合わせた情報（以下「対象の組み合わせ情報」と言う。）が配信先決定用情報５４ｄに存在するか否かを判断する（Ｓ１３７）。
【００６９】
情報配信手段５５ａは、対象の組み合わせ情報が配信先決定用情報５４ｄに存在するとＳ１３７において判断すると、対象の組み合わせ情報を配信先決定用情報５４ｄから削除する（Ｓ１３８）。
【００７０】
情報配信手段５５ａは、対象の組み合わせ情報が配信先決定用情報５４ｄに存在しないとＳ１３７において判断するか、Ｓ１３８の処理を終了すると、対象の配信先の店舗サーバーの記憶部から、対象の配信用情報を削除した（Ｓ１３９）後、対象の配信先を対象の配信用情報の配信先とする情報を配信先情報５４ｃから削除する（Ｓ１４０）。
【００７１】
情報配信手段５５ａは、特定の回数以上であるとＳ１３４において判断すると、対象の組み合わせ情報を配信先決定用情報５４ｄに追加する（Ｓ１４１）。
【００７２】
情報配信手段５５ａは、Ｓ１４０またはＳ１４１の処理の後、Ｓ１３１において一時的に記憶した配信先のうち、今回の図７に示す動作において未だ対象にしていない配信先が存在するか否かを判断する（Ｓ１４２）。
【００７３】
情報配信手段５５ａは、Ｓ１３１において一時的に記憶した配信先のうち、今回の図７に示す動作において未だ対象にしていない配信先が存在するとＳ１４２において判断すると、Ｓ１３２の処理を実行する。
【００７４】
情報配信手段５５ａは、Ｓ１３１において一時的に記憶した配信先のうち、今回の図７に示す動作において未だ対象にしていない配信先が存在しないとＳ１４２において判断すると、図７に示す動作を終了する。
【００７５】
次に、配信用情報を削除する場合の情報配信サーバー５０の動作について説明する。
【００７６】
配信希望者がサーバー管理者に配信用情報の配信の終了を依頼するなどすると、サーバー管理者は、対象の配信用情報を記憶部５４から削除するように、情報配信サーバー５０に指示する。したがって、情報配信サーバー５０は、図８に示す動作を実行する。
【００７７】
図８は、配信用情報を削除する場合の情報配信サーバー５０の動作のフローチャートである。
【００７８】
図８に示すように、情報配信手段５５ａは、今回の図８に示す動作における対象の配信用情報に対して配信先情報５４ｃに示される配信先のうち、今回の図８に示す動作において未だ対象にしていない１つを対象にする（Ｓ１６１）。
【００７９】
次いで、情報配信手段５５ａは、対象の配信先の店舗サーバーの記憶部から、対象の配信用情報を削除した（Ｓ１６２）後、対象の配信先を対象の配信用情報の配信先とする情報を配信先情報５４ｃから削除する（Ｓ１６３）。
【００８０】
次いで、情報配信手段５５ａは、今回の図８に示す動作における対象の配信用情報に対して配信先情報５４ｃに示される配信先のうち、今回の図８に示す動作において未だ対象にしていない配信先が存在するか否かを判断する（Ｓ１６４）。
【００８１】
情報配信手段５５ａは、今回の図８に示す動作における対象の配信用情報に対して配信先情報５４ｃに示される配信先のうち、今回の図８に示す動作において未だ対象にしていない配信先が存在するとＳ１６４において判断すると、Ｓ１６１の処理を実行する。
【００８２】
情報配信手段５５ａは、今回の図８に示す動作における対象の配信用情報に対して配信先情報５４ｃに示される配信先のうち、今回の図８に示す動作において未だ対象にしていない配信先が存在しないとＳ１６４において判断すると、対象の配信用情報を記憶部５４から削除して（Ｓ１６５）、図８に示す動作を終了する。
【００８３】
次に、配信用情報が表示される場合のＭＦＰ３０の動作について説明する。
【００８４】
図９は、配信用情報が表示される場合のＭＦＰ３０の動作のフローチャートである。
【００８５】
図９に示すように、制御部３８は、店舗サーバー４０の記憶部４４から配信用情報のうちのヘッドライン情報を取得する（Ｓ２０１）。ここで、記憶部４４に配信用情報が複数記憶されている場合、制御部３８は、記憶部４４に記憶されている全ての配信用情報のヘッドライン情報を取得する。
【００８６】
次いで、制御部３８は、Ｓ２０１において取得したヘッドライン情報を表示部３２にスクロール表示して（Ｓ２０２）、図９に示す動作を終了する。
【００８７】
図１０は、表示部３２に表示されるヘッドライン情報の一例を示す図である。
【００８８】
図１０に示すように、表示部３２は、画面の最も下の範囲３２ａに１行分でヘッドライン情報が右から左にスクロール表示され、範囲３２ａ以外の範囲３２ｂには通常の表示内容が表示される。なお、ヘッドライン情報は、図１０においては画面の最も下の範囲３２ａに表示されているが、他の場所に表示されても良い。例えば、ヘッドライン情報は、画面の最も上の範囲に表示されても良い。
【００８９】
次に、配信用情報が印刷される場合のＭＦＰ３０および店舗サーバー４０の動作について説明する。
【００９０】
図１１は、配信用情報が印刷される場合のＭＦＰ３０および店舗サーバー４０の動作のシーケンス図である。
【００９１】
ＭＦＰ３０の制御部３８は、表示部３２に表示されているヘッドライン情報に対応する配信用情報の印刷の指示を操作部３１を介して受け付けると、図１１に示す動作を開始する。例えば、店舗２０を訪れた客は、表示部３２に表示されているヘッドライン情報を見て詳細情報が欲しくなった場合、表示部３２に表示されているヘッドライン情報をタッチするなどして、表示部３２に表示されているヘッドライン情報に対応する配信用情報の印刷を指示することができる。
【００９２】
図１１に示すように、ＭＦＰ３０の制御部３８は、表示部３２に表示されているヘッドライン情報に対応する配信用情報の印刷の指示を操作部３１を介して受け付けると、対象の配信用情報のうちの印刷データを店舗サーバー４０に要求する（Ｓ２３１）。
【００９３】
次いで、店舗サーバー４０の制御部４５は、Ｓ２３１において要求された印刷データをＭＦＰ３０に送信する（Ｓ２３２）。
【００９４】
次いで、ＭＦＰ３０の制御部３８は、Ｓ２３２において送信されてきた印刷データに基づいてプリンター３４で印刷を実行し（Ｓ２３３）、印刷の完了を店舗サーバー４０に通知する（Ｓ２３４）。
【００９５】
次いで、店舗サーバー４０の制御部４５は、Ｓ２３４において印刷の完了が通知されてくると、印刷履歴４４ｂを更新する（Ｓ２３５）。
【００９６】
以上に説明したように、情報印刷システム１０は、店舗のＭＦＰの表示部に複数の配信用情報を表示し（Ｓ２０２）、店舗のＭＦＰの表示部に表示された複数の配信用情報から特定の配信用情報の選択を店舗のＭＦＰの操作部によって受け付け、店舗のＭＦＰの操作部から選択された配信用情報を店舗のＭＦＰのプリンターによって印刷する（Ｓ２３３）ので、店舗の客である利用者が選んだ配信用情報を店舗のＭＦＰのプリンターによって印刷することができる。
【００９７】
情報印刷システム１０において、情報配信サーバー５０は、配信用情報を配信した店舗サーバーが設置された第１の店舗に設置されたＭＦＰのプリンターによる配信用情報の印刷の回数が特定の回数より少ない場合に（Ｓ１３４でＹＥＳ）、第１の店舗の周囲の第２の店舗に設置された店舗サーバーに配信用情報を配信する（Ｓ１３６）。この構成により、情報印刷システム１０は、印刷される可能性が高い店舗を配信用情報毎に自動で探すので、利便性を向上することができる。
【００９８】
情報印刷システム１０において、情報配信サーバー５０は、第１の店舗に設置されたＭＦＰのプリンターによる配信用情報の印刷の回数が特定の回数より少ない場合に（Ｓ１３４でＹＥＳ）、第１の店舗に設置された店舗サーバーへの配信用情報の配信を終了して（Ｓ１３９）、第２の店舗に設置された店舗サーバーに配信用情報を配信する（Ｓ１３６）。この構成により、情報印刷システム１０は、印刷される可能性が低い店舗の店舗サーバーには配信用情報を配信しないので、店舗のＭＦＰのプリンターによって印刷される可能性が低い配信用情報が店舗のＭＦＰの表示部に表示されることを抑えることができる。したがって、情報印刷システム１０は、店舗のＭＦＰのプリンターによって印刷される配信用情報が店舗のＭＦＰの操作部から選択されることを容易化することができる。
【００９９】
なお、情報配信サーバー５０は、第１の店舗に設置されたＭＦＰのプリンターによる配信用情報の印刷の回数が特定の回数より少ない場合に（Ｓ１３４でＹＥＳ）、第１の店舗に設置された店舗サーバーへの配信用情報の配信を終了しなくても良い。
【０１００】
情報印刷システム１０において、情報配信サーバー５０は、第２の店舗に設置されたＭＦＰのプリンターによる配信用情報の印刷の回数が特定の回数以上である場合に（Ｓ１３４でＮＯ）、第２の店舗に設置された店舗サーバーに配信した配信用情報と同一の種類の配信用情報の配信の依頼を新たに受けたとき（Ｓ１０３でＹＥＳ）、同一の種類の配信用情報を最初から第２の店舗に設置された店舗サーバーに配信する（Ｓ１０５およびＳ１０６）。この構成により、情報印刷システム１０は、印刷される可能性が高い店舗の店舗サーバーに配信用情報を自動で配信するので、利便性を向上することができる。
【０１０１】
情報印刷システム１０において、ＭＦＰの表示部は、配信用情報のヘッドライン情報をスクロール表示する（Ｓ２０２）。この構成により、情報印刷システム１０は、一覧表示する場合と比較して同一の時間で利用者が認識可能な配信用情報の数が少ないので、不必要な配信用情報を店舗サーバーに配信しないことが重要である。したがって、情報印刷システム１０は、印刷される可能性が高い店舗を配信用情報毎に自動で探す有効性を向上することができる。なお、ＭＦＰの表示部は、配信用情報のヘッドライン情報を一覧表示しても良い。
【０１０２】
情報印刷システム１０は、配信用情報の一部のみ、すなわち、ヘッドライン情報のみをＭＦＰの表示部に表示するので、配信用情報の全てを知ることを希望する利用者が配信用情報の印刷を希望する場合が高く、配信用情報の全てをＭＦＰの表示部に表示する場合と比較して配信用情報が印刷される可能性を向上することができる。したがって、情報印刷システム１０は、配信用情報の印刷に対して課金する場合に、配信用情報の印刷による売り上げを向上することができる。なお、情報印刷システム１０は、配信用情報の全部、すなわち、配信用情報の印刷データに基づいて印刷した場合の印刷物の内容と同一の内容をＭＦＰの表示部に表示しても良い。
【０１０３】
なお、情報印刷システム１０においては、様々な場面で課金を行うことができる。例えば、ＭＦＰの表示部に配信用情報のヘッドライン情報を表示することに関して、店舗側（サーバー管理者側）から配信希望者に課金を行っても良いし、課金を行わなくても良い。また、店舗の客がＭＦＰによって配信用情報を印刷することに関して、店舗側から客に例えば印刷枚数に応じて課金を行っても良いし、課金を行わなくても良い。また、店舗の客がＭＦＰによって配信用情報を印刷することに関して、店舗側から配信希望者に例えば印刷枚数に応じて課金を行っても良いし、課金を行わなくても良い。一例としては、店舗の客がＭＦＰによって配信用情報を印刷することに関してのみ、店舗側から配信希望者に印刷枚数に応じて課金を行う。
【０１０４】
店舗の客がＭＦＰによって配信用情報を印刷することに関して、店舗側から店舗の客に例えば印刷枚数に応じて課金を行う場合であっても、例えば、記録媒体の表面に配信用情報を印刷した場合に客の原稿を裏面にコピーするときには、課金を行わなくても良い。
【０１０５】
配信希望者から店舗側に希望があった場合、ＭＦＰの表示部への配信用情報のヘッドライン情報の表示時間を長くしても良い。ＭＦＰの表示部への配信用情報のヘッドライン情報の表示時間を長くすることに関して、店舗側から配信希望者に課金を行っても良い。
【０１０６】
情報印刷システム１０は、店舗の客がＭＦＰによって配信用情報を印刷することに関して、印刷回数や印刷枚数によって印刷の上限を設けても良い。特に、店舗の客がＭＦＰによって配信用情報を印刷することに関して、店舗側から客に課金を行わずに、店舗側から配信希望者に課金を行う場合、配信用情報の印刷に上限を設けることは有用である。
【０１０７】
例えば、小規模な店舗が近隣の住人に広告を出す方法として、新聞広告を出す方法や、店舗の従業員がチラシを配る方法が考えられる。しかしながら、新聞広告を出す方法は、そもそも費用が高いという問題があり、特に、近隣の住人の住居の存在する範囲より広い範囲に新聞広告が配られる可能性も高いので、不要な費用もかかるという問題もある。また、店舗の従業員がチラシを配る方法も、その広告に興味がない多数の住人にチラシを配る可能性があり、効率が悪い。情報印刷システム１０は、人が集まり、比較的便利な場所に存在する例えばコンビニエンスストアなどの店舗を活用するので、ごく限られた狭い地域に絞った安価な広告のサービスを配信希望者に提供することができる。
【０１０８】
また、小規模な地域のコミュニティーが、ごく限られた狭い地域のメンバーに会報やイベント情報を通知する方法として、実際に印刷物を配布する方法の他に、インターネット経由で通知する方法が考えられる。しかしながら、インターネット経由で通知する方法が採用されたとしても、高齢者などのインターネット環境を所有しない人達に対しては、結局、実際に印刷物を配布する必要がある。情報印刷システム１０は、店舗に設置されたＭＦＰで印刷するので、インターネット環境を所有しない人達に対しても、「店舗で印刷してください。」と連絡するだけで、実際に印刷物を配布することと同等の効果を得ることができる。
【０１０９】
店舗は、本来の収益、すなわち、店舗における商品等の販売による収益の他に、情報印刷システム１０のＭＦＰを設置することによって、立地を活用した広告収益を得ることができる。また、店舗は、情報印刷システム１０のＭＦＰを設置することによって、その地域の情報発信元となり、近隣住人との友好関係を築くことができ、また、その広告が目当てで来店する客がついでに買い物をしていくことを見込むことができる。また、店舗は、情報印刷システム１０のＭＦＰを設置することによって、近隣でのイベント情報を知ることができる可能性が高まるので、近隣でのイベントに合わせた品揃えを行うことが容易になる。
【０１１０】
情報印刷システム１０は、本実施の形態において印刷デバイスを備える装置としてＭＦＰ３０を備えている。しかしながら、情報印刷システム１０は、印刷デバイスを備える装置としてＭＦＰ以外の画像形成装置を備えても良い。例えば、情報印刷システム１０は、印刷デバイスを備える装置としてプリンター専用機やコピー専用機を備えても良い。
【０１１１】
情報印刷システム１０は、本発明の表示デバイス、操作デバイス、印刷デバイスがそれぞれＭＦＰ３０の表示部３２、操作部３１、プリンター３４である。しかしながら、本発明の表示デバイス、操作デバイスおよび印刷デバイスの少なくとも１つが、他のデバイスと分離されても良い。例えば、本発明の表示デバイスおよび操作デバイスは、ＭＦＰ３０とは別に設けられても良い。例えば、本発明の表示デバイスおよび操作デバイスは、店舗２０に設置されるＰＯＳ（Ｐｏｉｎｔ  Ｏｆ  Ｓａｌｅｓ）レジスタのタッチパネルで構成されても良いし、店舗２０に設置されるキオスク端末のタッチパネルで構成されても良い。
【０１１２】
情報印刷システム１０は、本実施の形態において、情報配信サーバー５０を備えている。しかしながら、情報印刷システム１０は、少なくとも１つの店舗の店舗サーバーが情報配信サーバー５０の機能をも実現すれば、情報配信サーバー５０を備えなくても良い。
【０１１３】
情報印刷システム１０は、本実施の形態において、ＭＦＰ３０および店舗サーバー４０を備えている。しかしながら、情報印刷システム１０は、ＭＦＰ３０が店舗サーバー４０の機能をも実現すれば、店舗サーバー４０を備えなくても良い。
【０１１４】
なお、図７において、対象の配信先に対象の配信用情報が送信されてから特定の期間（Ｓ１３３における特定の期間）が経過していない場合、情報配信手段５５ａは、Ｓ１３４の判断を行わず、処理をＳ１４１に移行しても良い。
【０１１５】
図７に示すＳ１４２の判断の対象となる配信先に、Ｓ１３５で配信先情報に記憶された配信先を含めても良い。この場合、Ｓ１３２〜Ｓ１４１において、Ｓ１３５で配信先情報に記憶された配信先が、対象の配信先として扱われる。
【符号の説明】
【０１１６】
１０  情報印刷システム
２０  店舗
３１  操作部（操作デバイス）
３２  表示部（表示デバイス）
３４  プリンター（印刷デバイス）
４０  店舗サーバー（受信デバイス）
４４ａ  配信用情報
５０  情報配信サーバー
５４ａ  情報配信プログラム
５４ｂ  配信用情報
【図１】
2018097672.tif 000003
【図２】
2018097672.tif 000004
【図３】
2018097672.tif 000005
【図４】
2018097672.tif 000006
【図５】
2018097672.tif 000007
【図６】
2018097672.tif 000008
【図７】
2018097672.tif 000009
【図８】
2018097672.tif 000010
【図９】
2018097672.tif 000011
【図１０】
2018097672.tif 000012
【図１１】
2018097672.tif 000013